(57)【要約】      （修正有）【課題】ギターを弾く際に、右肘を痛むことなく安定させ汗などによるギターの汚れを防ぎ、右手の運指をやりやすくする。ギターを椅子に座して弾く場合、ギターが安定し骨盤が捻れた状態を防ぐ。小型ギター、ウクレレを椅子に座して弾く場合、本体を安定させ右手の指を自由にし、左手の棹の支えを楽にする。【解決手段】楽器奏者の弾き手側肘と脇間及び腿に定置される被載置ベルト２と、被載置ベルト２の展開を行うためのフラップ３と、被載置ベルト２とフラップ３を楽器胴部に取着するために、フラップ３に可動部Ａ７で連結された単数もしくは複数の楽器胴部ベース４および吸着部５と可動部Ｂ８と、楽器奏者の弾き手側肘と脇間および腿に柔軟になじみ定置させるための被載置ベルトの長さ調整部６から成る。【選択図】図１
2016099414.tif 000002
【特許請求の範囲】
【請求項１】
ギター奏者の弾き手側肘と脇間及び腿に定置される被載置ベルト（２）と、当該被載置ベルトの展開を行うためのフラップ（３）と、被載置ベルト（２）とフラップ（３）をギター胴部に取着するためのフラップ（３）に可動部Ａ（７）で連結された単数もしくは複数の楽器胴部ベース（４）および吸着部（５）と可動部Ｂ（８）と、ギター奏者の弾き手側肘と脇間及び腿に柔軟になじみ定置させるための被載置ベルトの長さ調整部（６）から成ることを特徴とするギター用支持具（１）。
【請求項２】
小型ギター及びウクレレ奏者の腿に定置される被載置ベルト（２）から成る請求項１記載のギター用支持具（１）。
【発明の詳細な説明】
【技術分野】
【０００１】
本発明は、ギターを演奏する際、弾き手側の肘を好位置に安定させるための支持具と、ギター・小型ギター・ウクレレを演奏する際、棹側を高く安定させるための支持具に関する。
【背景技術】
【０００２】
クラッシックギターを弾くときの一般的なフォームとして、左足を足台に載せ左右の腿の間にギターの胴部分を固定し左手の棹部分を高く固定して演奏を行う。この場合の問題点として、右腕において肘を置く部分がギターの角にあたり不安定かつ痛みを伴うこともある。このため右手の指に力が入り細かな指弾きに悪い影響を与えている。ギターの胴部を右肘と奏者の胸で挟み込むため、ギターの共鳴を阻害する。挟み込む腕の汗などで、ギターの塗装面に汚れや剥げ等の影響を与える。本発明は楽器奏者の弾き手側肘と脇間に柔軟になじみ定置される被裁置ベルトを採用し、構造は単純で軽量でありかつ複数の機能を有する。さらにこのフォームの問題点として、骨盤が捻れた状態となり腰に大きな負担となり、特に腰痛を患っている者には長時間演奏することは推奨できない。本発明は腿に柔軟になじみ定置される被裁置ベルトを採用し、構造は単純で軽量でありかつ複数の機能を有する。特許文献１、特開２００６−４７５２１号公報（ギター用肘セッティング）特許文献２、実開平０５−０６９７９４号公報（ギターの支持具）が広報に記載されているが、構造の違いが大きい。
【先行技術文献】
【特許文献】
【０００３】
【特許文献１】特開２００６−４７５２１号公報
【特許文献２】実開平０５−０６９７９４号公報
【発明の概要】
【発明が解決しようとする課題】
【０００４】
小型ギター、ウクレレを椅子に座して弾く場合、右肘と奏者の胸の間で挟み込んだり、右腿の付け根で支えたりいくつかフォームがあるが、いずれも楽器が安定しない。そのため、右腕が自由にならず右指の細かな動きが出来ない。また、左手は本来コードなど押さえるが、不安定な楽器を支える事をしなければならないため、左手の運指に悪影響を与えている。ギターを弾く際に、右肘を痛むことなく安定させ、汗などによるギターの汚れを防ぎ、右手の運指をやりやすくする事を課題とする。
【０００５】
ギターを椅子に座して弾く場合、ギターが安定し骨盤が捻れた状態を防ぐことを課題とする。
【０００６】
小型ギター、ウクレレを椅子に座して弾く場合、本体を安定させ右手の指を自由にし、左手の棹の支えを楽にすることを課題とする。これらは解決をしなければならない課題であり、本発明はこれらの問題を解決するために発明したものである。
【課題を解決するための手段】
【０００７】
上記目的を達成するため本発明に係る支持具（１）は、ギター奏者の弾き手側肘と脇間及び腿に定置される被載置ベルト（２）と、当該被載置ベルト（２）の展開を行うためのフラップ（３）と、被載置ベルト（２）とフラップ（３）をギター胴部に取着するためのフラップ（３）に可動部Ａ（７）で連結された単数もしくは複数の楽器胴部ベース（４）および吸着部（５）と可動部Ｂ（８）、と、ギター奏者の弾き手側肘と脇間及び腿に柔軟になじみ定置させるための被載置ベルトの長さ調整部（６）から成ることを第一の要旨とする。
【０００８】
更に、本発明に係る支持具（１）は、小型ギター及びウクレレ奏者の腿に定置される被載置ベルト（２）と、当該被載置ベルト（２）の展開を行うためのフラップ（３）と、被載置ベルト（２）とフラップ（３）を小型ギター及びウクレレ胴部に取着するためのフラップ（３）に可動部Ａ（７）で連結された単数もしくは複数の楽器胴部ベース（４）および吸着部（５）と可動部Ｂ（８）と、小型ギター及びウクレレ奏者の腿に柔軟になじみ定置させるための被載置ベルトの長さ調整部（６）から成ることを第二の要旨とする。
【発明の効果】
【０００９】
（イ）ギター奏者の弾き手側肘と脇間に被載置ベルトを定置させて使用した場合、長時間の練習や演奏等により起因される手や腕に係る負担が緩和できると共に安定したギターの保持が得られるという効果がある。
（ロ）ギター奏者の腿に被載置ベルトを定置させて使用した場合、骨盤の捻れを生じることなく腰に係る負担が緩和できると共に安定したギターの保持が得られるという効果がある。
（ハ）小型ギター及びウクレレ奏者の腿に被載置ベルトを定置させて使用した場合、右脇で本体を挟み込んで支持することなく本体を安定させ、右手の指が自由になることと、棹を支える左手の負担が緩和できるという効果がある。
（ニ）さらに、本発明は構造が単純である。安価に製造でき、楽器ケースへの収納も可能となる。
【図面の簡単な説明】
【００１０】
【図１】本発明の斜視図。
【図２】小型ギター、ウクレレに本発明を取り付けた使用説明図。
【図３】ギターに本発明の支持具を取り付けた使用説明図。
【発明を実施するための形態】
【００１１】
以下、本発明を実施するための最良の形態について説明する。
楽器胴部ベース（４）に吸着部（５）を固定したものを、可動部Ａ（７）をもってフラップ（３）に軸支した。柔軟性を持った被載置ベルト（２）を楽器胴部ベース（４）に固定し、肘および腿が形設出来るだけの長さを確保してフラップ（３）および可動部Ａ（７）を経て再び楽器胴部ベース（４）へ固定する。被載置ベルト（２）は被載置ベルトの長さ調整部（６）によって長さを調節出来るようにした。楽器の形状に沿って固定できるように二つの楽器胴部ベース（４）を可動部Ｂ（８）にて軸支した。
【実施例】
【００１２】
使用方法について説明する。
支持具（１）をギター上部に吸着部（５）にて固定する。この場合、弾き手の腕と手の位置が演奏に適切な位置に来るように肘と脇の間に形設された被裁置ベルト（２）の位置を調整すると共に、被裁置ベルト（２）の長さを被裁置ベルトの長さ調整部（６）にて調整し演奏を行う。
支持具（１）をギター、小型ギター、ウクレレ下部に吸着部（５）にて固定する。この場合、楽器の上下左右の位置と棹の傾く角度が演奏に適切な位置に来るように腿に形設された被裁置ベルト（２）を調整すると共に、被裁置ベルトの長さを被裁置ベルトの長さ調整部（６）にて調整し演奏を行う。
【符号の説明】
【００１３】
１  支持具
２  被載置ベルト
３  フラップ
４  楽器胴部ベース
５  吸着部
６  被載置ベルトの長さ調整部
７  可動部Ａ
８  可動部Ｂ  
【図１】
2016099414.tif 000003
【図２】
2016099414.tif 000004
【図３】
2016099414.tif 000005